(57)【要約】【課題】ＩＰ通信中の相手先に対して更に新たなＩＰ通信を行う場合に、通信操作の簡略化や通信処理の迅速化を可能とし、新たな通信を開始するまでの時間と手間を低減することを可能とするＩＰ通信装置を提供すること。【解決手段】ＩＰ通信中の相手先のＩＰアドレスを記憶する宛先ＩＰアドレス格納部２９と、ＩＰ通信中の相手先１Ｂに対して新たなＩＰ通信の開始要求があったとき、宛先ＩＰアドレス格納部２９により記憶しているＩＰ通信中の相手先１ＢのＩＰアドレスを通信宛先に指定して、ＩＰ通信中の接続上で新たなＩＰ通信を実行するＩＰ通信装置１Ａ。【選択図】      図４
2005033523.tif 000002
【特許請求の範囲】
【請求項１】
ＩＰ通信中に新たなＩＰ通信の開始要求を受付ける手段と、前記開始要求を受付けたとき、前記ＩＰ通信中の接続を利用して新たなＩＰ通信を実行する手段と、を備えることを特徴とするＩＰ通信装置。
【請求項２】
ＩＰ通信中に新たなＩＰ通信の開始要求を受付ける手段と、前記開始要求を受付けたとき、前記ＩＰ通信中の接続情報を利用して、前記ＩＰ通信中の接続とは異なる新たな接続を確立した上で、新たなＩＰ通信を実行する手段と、を備えることを特徴とするＩＰ通信装置。
【請求項３】
前記ＩＰ通信中の通信の種類は音声通信であり、前記新たなＩＰ通信の種類はデータ通信であることを特徴とする請求項１又は２記載のＩＰ通信装置。
【請求項４】
前記ＩＰ通信中の通信の種類はデータ通信であり、前記新たなＩＰ通信の種類は音声通信であることを特徴とする請求項１又は２記載のＩＰ通信装置。
【請求項５】
前記新たなＩＰ通信の開始要求は、特定の通信開始操作によるものであり、該通信開始操作は、非通信時の通信開始操作と異なることを特徴とする請求項１又は２記載のＩＰ通信装置。
【請求項６】
前記新たなＩＰ通信は、通信中のＩＰ通信より優先して先に処理されることを特徴とする請求項１又は２記載のＩＰ通信装置。
【発明の詳細な説明】
【０００１】
【発明の属する技術分野】
本発明は、ＩＰ（インターネットプロトコル）網をデータの伝送路として用い、音声データ、画像データ、テキストデータなど各種通信データの伝送を行う、ＩＰ通信装置に関する。
【０００２】
【従来の技術】
従来の通話用電話機を有するＧ３ファクシミリ装置では、手動でファクシミリ送信を行う場合、最初に電話をかけて相手と通話をし、その後にスタートキーを押下して、ファクシミリ送信に切り替える動作をしていた。しかし、通話中にファクシミリ送信したり、ファクシミリ送信中に通話することができなかった。
【０００３】
このような問題を解消するための通信装置として、特許文献１に開示されているような通信装置がある。この通信装置は、ＩＰ（インターネットプロトコル）による通信（以下「ＩＰ通信」という。）を利用して複数の通信コネクション、具体的にはＩＰ電話通信とＩＴＵ−Ｔ勧告Ｔ．３８に準拠したＩＰファクシミリ通信、を同時に確立することにより、ＩＰファクシミリの送受信をしながら通話をしたり、通話をしながらＩＰファクシミリの送受信を行うことを可能としたものである。
【０００４】
【特許文献１】
特開２００２−１０１２５６号公報
【０００５】
【発明が解決しようとする課題】
ところが、上記特許文献１に係る通信装置では、ＩＰファクシミリ通信とＩＰ電話による通話を平行して行うことが可能であるものの、一方のＩＰ通信中に他方のＩＰ通信を開始するには、オペレータは再び相手先の宛先情報（ＩＰ電話番号、ＵＲＬ等）の入力操作を行う必要がある。また、通信装置は入力された宛先情報をＤＮＳ（Ｄｏｍａｉｎ  Ｎａｍｅ  Ｓｙｓｔｅｍ）サーバに提示してＩＰアドレスを取得するための処理を行うために、オペレータが新たな通信開始を指示してから相手先と接続されるまでの間の時間が長くなるという問題がある。
【０００６】
本発明は、かかる課題に鑑みてなされたものであり、ＩＰ通信中の相手先に対して更に新たなＩＰ通信を行う場合に、通信操作の簡略化や通信処理の迅速化を可能とし、新たな通信を開始するまでの時間と手間を低減することを可能とするＩＰ通信装置を提供することを目的とする。
【０００７】
【課題を解決するための手段】
上記目的を達成するために、請求項１記載のＩＰ通信装置は、ＩＰ通信中に新たなＩＰ通信の開始要求を受付ける手段と、前記開始要求を受付けたとき、前記ＩＰ通信中の接続を利用して新たなＩＰ通信を実行する手段と、を備えることを特徴としている。
【０００８】
請求項２記載のＩＰ通信装置は、ＩＰ通信中に新たなＩＰ通信の開始要求を受付ける手段と、前記開始要求を受付けたとき、前記ＩＰ通信中の接続情報を利用して、前記ＩＰ通信中の接続とは異なる新たな接続を確立した上で、新たなＩＰ通信を実行する手段と、を備えることを特徴としている。
【０００９】
請求項３記載のＩＰ通信装置は、請求項１又は２記載のＩＰ通信装置において、前記ＩＰ通信中の通信の種類は音声通信であり、前記新たなＩＰ通信の種類はデータ通信であることを特徴としている。
【００１０】
請求項４記載のＩＰ通信装置は、請求項１又は２記載のＩＰ通信装置において、前記ＩＰ通信中の通信の種類はデータ通信であり、前記新たなＩＰ通信の種類は音声通信であることを特徴としている。
【００１１】
請求項５記載のＩＰ通信装置は、請求項１又は２記載のＩＰ通信装置において、前記新たなＩＰ通信の開始要求は、特定の通信開始操作によるものであり、該通信開始操作は、非通信時の通信開始操作と異なることを特徴としている。
【００１２】
請求項６記載のＩＰ通信装置は、請求項１又は２記載のＩＰ通信装置において、前記新たなＩＰ通信は、通信中のＩＰ通信より優先して先に処理されることを特徴としている。
【００１３】
【発明の実施の形態】
以下本発明の第１の実施の形態に係るＩＰ通信装置として、ＩＰ通信機能、Ｇ３ファクシミリ通信機能等を備えた複合機型の通信装置を例に挙げて図面に基づき説明する。図１に通信装置１の構成例を示す。すなわち、通信装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、表示部１０、操作部１１、ＬＡＮインターフェース１２及びハンドセット１３を備えたものであって、各部２乃至１３は通信可能にバス１４によって接続されている。
【００１４】
ＣＰＵ２は、ＲＯＭ４に格納されたプログラムに従って、この通信装置１を構成する各部を制御する。ＲＡＭ３は、画データ、各種設定情報、後述する宛先ＩＰアドレス、テーブルＴ等を記憶する記憶部として機能する。ＲＯＭ４は、ＣＰＵ２によりこの通信装置１の各部の動作が制御されるための各種プログラムを記憶している。
【００１５】
コーデック５は、画データを送信のためにＭＨ、ＭＲ、ＭＭＲ方式等により符号化し、受信した画データを復号する。また、電子メール添付ファイル形式として一般的に利用されている画像フォーマットであるＴＩＦＦ（Ｔａｇｇｅｄ    Ｉｍａｇｅ    Ｆｉｌｅ    Ｆｏｒｍａｔ）形式にも対応して符号化、復号する。
【００１６】
モデム６は、例えばＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）に接続されている。
【００１７】
読取部８は、原稿の画データを読み取って、白黒２値化した画データを出力する。記録部９は、例えば電子写真方式のものからなり、受け取った画データ等を記録紙上に記録する。
【００１８】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、電話番号、メールアドレス等の各種情報を入力する入力キー、送信開始指示を行うためのスタートキー１１ａなどを具備する。オペレータによる各種操作はこの操作部１１から行われる。
【００１９】
ＬＡＮインターフェース１２は、ＬＡＮ（ローカル・エリア・ネットワーク）１５と通信装置１と通信可能に接続するインターフェースである。ＬＡＮ１５には、クライアントＰＣ１６が設置されており、クライアントＰＣ１６から通信装置１が有する各種機能を利用することができるようになっている。また、ＬＡＮ１５には、ルータ１８が設置されており、通信装置１は、ルータ１８、インターネット等を通じて他のＩＰ通信装置（不図示）と後述するＩＰ通信を行うことができる。
【００２０】
ハンドセット１３は、ＩＰ電話又は公衆網を介した電話によりオペレータが通話するための受話器等によって構成されている。
【００２１】
上記構成を備える通信装置１は、ＩＰ電話による音声通信機能と、ＩＰファクシミリ通信機能によるデータ通信機能とを有する。また、通信装置１は、ＩＰ通信によって、１又は複数の音声通信及びデータ通信を同時に同じ相手先対して行う機能を有する。なお、本明細書においては、音声通信を除くデータの通信のことをデータ通信というものとする。
【００２２】
図２にかかる通信装置１が上記したようなハードウエア構成上で形成する機能ブロックを示す。すなわち、通信装置１は、ＩＰ網インターフェース部２１、受信データ分別部２２、ＩＰ電話通信部２３、ＩＰファクシミリ通信部２４によって、ＩＰ網を通じて相手先と１又は複数の音声通信及びデータ通信を同時に行うことができる。
【００２３】
ＩＰ網インターフェース部２１は、ＩＰ網、すなわち、インターネット又はイントラネットとのインターフェースである。ＩＰ網インターフェース部２１は、通信コネクションを通じてＩＰ網から供給されるＴＣＰ／ＩＰパケットを受信データ分別部２２に出力する。
【００２４】
受信データ分別部２２は、入力されたデータを解析して音声通信に係るデータ（以下「音声データ」ともいう。）をＩＰ電話通信部２３へ、データ通信に係るデータをＩＰファクシミリ通信部２４へ分別出力する。なお、音声通信に係るデータかデータ通信に係るデータかの判断は、受信パケットに含まれるデータ通信に係るものであるか、音声通信に係るものであるを示す特定情報に基づき判断される。かかる特定情報は、通信装置１がＩＰ送信する際にアプリケーションによって各パケットに付加するものである。したがって、通信装置１同士の通信に限ってかかる分別出力が可能となる。
【００２５】
ＩＰ電話通信部２３は、受信データ分別部２２から入力された音声データの解析及び復号処理等を行って、ハンドセット１３のスピーカにアナログ音声データを出力する受信音声データ処理部２５と、ハンドセット１３から入力されるオペレータの話し声のアナログデータを符号化、パケット化処理、前記特定情報の付加等を行って、ＩＰ網インターフェース部２１に出力する送信音声データ生成部２６とからなる。なお、送信音声データ生成部２６からのデータの出力は、音声データの送出遅延防止をデータの欠落より優先して行う。
【００２６】
ＩＰファクシミリ通信部２４は、受信データ分別部２２から入力された受信データの解析及び復号処理等を行って、記録部９（配信する場合には配信先であるクライアントＰＣ１６等）に出力する受信データ処理部２７と、読取部８で読み取ったデータやクライアントＰＣ１６から入力されたデータを符号化、パケット化、前記特定情報の付加等を行うと共に宛先ＩＰアドレス格納部２９に格納されているＩＰアドレスを通信宛先として、ＩＰ網インターフェース部２１に出力する送信データ生成部２８とからなる。なお、送信データ生成部２８からのデータの出力は、送信音声データ生成部２６と異なり、データの品質を送出遅延防止より優先して行う。
【００２７】
上記機能ブロックを形成する通信装置１において、音声通信又はデータ通信中に、同じ相手先に対して新たなデータ通信又は音声通信の開始要求を受付けると、宛先ＩＰアドレス格納部２９に記憶している同相手先のＩＰアドレスを指定して音声又データ通信を開始する処理が行われる。また、通信装置１は、予めオペレータ等により相手先の音声通信機能又はデータ通信機能の有無に関する情報を登録しており、通信中の相手先と同じ相手先に対して新たなデータ又は音声通信すべき指示があると、登録された情報に基づき新たな通信が不可能であると判断される場合に新たな通信を行わないようになっている。
【００２８】
相手先の通信機能の有無に関する情報は、図３に示すような、ＲＡＭ３に形成されるテーブルＴに登録されている。該テーブルＴは、「相手ＩＰアドレス」欄、「電話番号」欄、「音声通信」欄、「データ通信」欄で構成されており、各欄の情報は、同一レコードに格納されることにより相互に対応付けられている。「相手ＩＰアドレス」欄には、相手先のＩＰアドレスが登録されている。「電話番号」欄には相手先の電話番号が登録されている。「音声通信」欄には相手先の通信装置が音声通信機能を有するか否かが登録されており、音声通信が可能な場合は「可」が、音声通信が不可能な場合は「不可」が登録されている。「データ通信」欄には相手先装置がデータ通信機能（本実施形態ではＩＰファクシミリ通信機能）を有するか否かが登録されており、データ通信が可能な場合は「可」が、データ通信が不可能な場合は「不可」が登録されている。
【００２９】
上記構成及び通信機能を備える通信装置１同士で通話中に、送信側（発呼側）の通信装置１からデータ送信が行われる場合に双方の通信装置１、１間で形成される通信手順について、図４に示すシーケンス図に基づいて説明する。なお、説明の便宜上、送信側となる通信装置１を送信側通信装置１Ａ、受信側となる通信装置１を受信側通信装置１Ｂという。
【００３０】
一方の通信装置（送信側通信装置）１Ａにおいて、オペレータにより相手先（受信側通信装置）１ＢのＩＰ電話番号がダイヤルされると、呼制御により相手先と接続が確立され（Ｓ１）、音声通信が双方の通信装置１Ａ、１Ｂ間において形成される（Ｓ２）。そして、送信側通信装置１Ａは、サーバ等から取得された相手のＩＰアドレスを宛先ＩＰアドレス格納部２９に格納（記憶）するとともに既に格納されているＩＰアドレスがあればそれを消去する（Ｓ３）。
【００３１】
音声通信中に、オペレータにより、読取部８に原稿がセットされ、特定の通信開始操作による新たなデータ通信の開始要求を受付けると（Ｓ４）、送信側通信装置１Ａは、音声通信中の相手先と新たに送信しようとする原稿の送信先とが同一であるとみなす。ここで、特定の通信開始操作は、相手の宛先情報（電話番号、メールアドレス等）が指定されずにスタートキー１１ａが押下される操作であり、非通信時になされる通信開始操作（つまり、宛先情報の入力後にスタートキー１１ａが押下される操作）とは異なる。そして、テーブルＴに基づいて現在音声通信中の相手先がデータ通信できるか否かを判断し（不図示）、データ通信できると判断した場合に原稿の画データを読み取って、送信データを生成して宛先ＩＰアドレス格納部２９に格納されているＩＰアドレスを新たな送信相手の宛先（通信宛先）に指定して音声通信と同一の接続を利用して原稿画データの送信を行う。このとき、相手先との音声通信も平行して行う（Ｓ５）。なお、前記相手先がデータ通信できると判断されるのは、テーブルＴの「相手ＩＰアドレス」欄及び「電話番号」欄に、通信中の相手先のＩＰアドレス又は電話番号が登録されている場合であって「データ通信」欄に「可」が登録されている場合である。これにより、予め相手がデータ通信機能を有しないことが明らかであるにもかかわらず、データ通信を試みて通信エラーを発生させてしまうことを未然に防止することができる。
【００３２】
相手先との通話が終了しハンドセット１３がオンフックされると（Ｓ６）、ＩＰ電話通信部２３の送信音声データ生成部２６からの音声データの生成出力が停止され、音声通信は終了する（Ｓ７）。次いで、原稿の最終ページの画データが相手先に送信されると、データ送信も終了し（Ｓ８）、確立された接続は切断される（Ｓ９）。なお、図示しないがデータ通信が終了した後にハンドセット１３がオフフックされた場合は、データ通信の終了、音声通信の終了、接続の切断の順に処理が実行される。
【００３３】
このように通信装置１によれば、相手先と通話をしながら、原稿データの送信を平行して行うことができる。また、通話中にスタートキー１１ａを押下するだけで通話中の相手先が原稿データの送信先に自動的に指定されるので、新たに相手の電話番号等を入力する作業が省略される。また、通話中の相手先（原稿データの送信先）の宛先情報としては、宛先ＩＰアドレス格納部２９に格納されたＩＰアドレスが利用されるので、サーバ等へのＩＰアドレスの問い合わせ処理が省略され、スタートキー１１ａの押下から原稿データの送信の開始までの時間が短縮されるという利点がある。
【００３４】
次に、通信装置１同士でデータ通信中に、送信側の通信装置１Ａから相手側の通信装置１ＢにＩＰ電話が掛けられる場合に、双方の通信装置１Ａ、１Ｂ間で形成される通信手順について、図５に示すシーケンス図に基づいて説明する。
【００３５】
一方の通信装置（送信側通信装置）１Ａにおいて、オペレータにより読取部８に原稿がセットされ、相手先（受信側通信装置）１Ｂの宛先情報（メールアドレス、ＵＲＬ等）が入力指定され、スタートキー１１ａが押下されると、呼制御により相手先と接続が確立され（Ｓ５１）、データ通信が双方の通信装置１Ａ、１Ｂ間において形成される（Ｓ５２）。そして、送信側通信装置１Ａは、サーバ等から取得された相手のＩＰアドレスを宛先ＩＰアドレス格納部２９に格納するとともに既に格納されているＩＰアドレスがあればそれを消去する（Ｓ５３）。
【００３６】
データ通信中に、送信側装置１Ａにおいて、オペレータにより、特定の通信開始操作による新たなＩＰ電話の開始要求を受付けると（Ｓ５４）、送信側通信装置１Ａは、データ送信中の相手先と新たに音声通信をしようとする送信先とが同一であるとみなす。ここで、特定の通信開始操作は、非通信時になされる相手先の電話番号の入力操作を伴う通信開始操作とは異なり、相手先の電話番号の入力操作を伴わない。そして、テーブルＴに基づいて現在データ送信中の相手先が音声通信できるか否かを判断し（不図示）、音声通信できると判断した場合に宛先ＩＰアドレス格納部２９に格納されているＩＰアドレスを音声通信の相手の宛先（通信宛先）に指定してデータ通信と同一の接続を利用して音声通信を行う。このとき、相手先とのデータ通信も平行して行う（Ｓ５５）。なお、前記相手先が音声通信できると判断されるのは、テーブルＴの「相手ＩＰアドレス」欄及び「電話番号」欄に、通信中の相手先のＩＰアドレス又は電話番号が登録されている場合であって「音声通信」欄に「可」が登録されている場合である。これにより、予め相手が音声通信機能を有しないことが明らかであるにもかかわらず、音声通信を試みて通信エラーを発生させてしまうことを未然に防止することができる。
【００３７】
相手先との通話が終了しハンドセット１３がオンフックされると（Ｓ５６）、ＩＰ電話通信部２３の送信音声データ生成部２６からの音声データの生成出力が停止され、音声通信は終了する（Ｓ５７）。音声通信は終了する。次いで、原稿の最終ページの画データが相手先に送信されると、データ送信も終了し（Ｓ５８）、確立された接続は切断される（Ｓ５９）。なお、図示しないがデータ通信が終了した後にハンドセット１３がオフフックされた場合は、データ通信の終了、音声通信の終了、接続の切断の順に処理が実行される。
【００３８】
このように通信装置１によれば、原稿データの送信を行っている最中に相手先と通話をすることができる。また、データ送信中にハンドセット１３をオフフックするだけで、データ通信中の相手先が当該通話の相手先に自動的に指定されるので、新たに相手の電話番号等を入力する作業が省略される。また、通話の相手先の宛先情報としては、宛先ＩＰアドレス格納部２９に格納されたＩＰアドレスが利用されるので、サーバ等へのＩＰアドレスの問い合わせ処理が省略され、ハンドセット１３のオフフックから通話を開始できるまでの時間が短縮されるという利点がある。
【００３９】
次に、通信装置１同士でデータ送信中に、更に別のデータ送信が行われる場合に双方の通信装置１Ａ、１Ｂ間で形成される通信手順について、図６に示すシーケンス図に基づいて説明する。
【００４０】
一方の通信装置（送信側通信装置）１Ａにおいて、オペレータにより読取部８に原稿がセットされ、相手先（受信側通信装置）１Ｂの宛先情報（メールアドレス、ＵＲＬ等）が入力指定され、スタートキー１１ａが押下されると、呼制御により相手先と接続が確立され（Ｓ１０１）、データ通信が双方の通信装置１Ａ、１Ｂ間において形成される（Ｓ１０２）。そして、送信側通信装置１Ａは、サーバ等から取得された相手のＩＰアドレスを宛先ＩＰアドレス格納部２９に格納するとともに既に格納されているＩＰアドレスがあればそれを消去する（Ｓ１０３）。
【００４１】
データ通信中に、送信側装置１Ａにおいて、オペレータにより、更に読取部８に原稿がセットされ、特定の通信開始操作による新たなデータ通信の開始要求を受付けると（Ｓ１０４）、送信側通信装置１Ａは、データ通信中の相手先が新たに送信しようとする原稿の送信先と同一であるとみなす。ここで、特定の通信開始操作は、相手の宛先情報（電話番号、メールアドレス等）が指定されずにスタートキー１１ａが押下される操作であり、非通信時になされる通信開始操作（つまり、宛先情報の入力後にスタートキー１１ａが押下される操作）とは異なる。そして、原稿の画データを読み取って、送信データを生成して宛先ＩＰアドレス格納部２９に格納されているＩＰアドレスを新たな送信相手の宛先（通信宛先）に指定して通信中のデータ通信と同一の接続を利用してその通信中のデータ通信に優先して原稿画データの送信を行う（Ｓ１０５）。つまり、先に送信を開始したデータの生成送出を一時的に中断する。
【００４２】
そして、後に開始したデータ送出が終了すると（Ｓ１０６）、中断していた先発のデータ送信を再開し（Ｓ１０７）、原稿の最終ページの画データが相手先に送信されると、データ送信も終了し（Ｓ１０８）、確立された接続は切断される（Ｓ１０９）。
【００４３】
このように通信装置１によれば、先発のデータ送信より後発のデータ送信を優先して同じ相手先に送信することができるので、例えば原稿の緊急性に応じて、相手先に送信することができる。また、スタートキー１１ａを押下するだけで通信中の相手先が後発のデータ送信の相手先に自動的に指定されるようになっているので、新たに相手の電話番号等を入力する作業が省略される。また、後発のデータ送信先（原稿データの送信先）の宛先情報としては、宛先ＩＰアドレス格納部２９に格納されたＩＰアドレスが利用されるので、サーバ等へのＩＰアドレスの問い合わせ処理が省略され、スタートキー１１ａの押下から後発のデータ送信の開始までの時間が短縮されるという利点がある。更にまた、通信装置１では、前記受信データ分別部２２、ＩＰ電話通信部２３、ＩＰファクシミリ通信部２４のところでも説明したように、音声通信とデータ通信の多重化をネットワークの上位層（アプリケーション層）で行うので、複数の通信を同一の接続を利用して行うことができ、新たな呼制御の確立を不要とすることができる。
【００４４】
以下、第２の実施の形態に係る通信装置３０について説明する。通信装置３０は、第１の実施の形態に係る通信装置１と同様の構成及び機能を有するが、音声通信又はデータ通信中に新たにデータ通信又は音声通信を行う場合に、新たに接続を確立して異なるパスを通じて相手先にデータ又は音声データを送信する点において相違する。なお、以下においては説明の便宜上、送信側となる通信装置３０を送信側通信装置３０Ａ、受信側となる通信装置３０を受信側通信装置３０Ｂという。
【００４５】
図７のシーケンス図に示すように、一方の通信装置（送信側通信装置）３０Ａにおいて、オペレータにより相手先（受信側通信装置）１ＢのＩＰ電話番号がダイヤルされると、呼制御により相手先と第１の接続が確立され（Ｓ２０１）、音声通信が双方の通信装置３０Ａ、３０Ｂ間において形成される（Ｓ２０２）。そして、送信側通信装置３０Ａは、サーバ等から取得された相手のＩＰアドレスを宛先ＩＰアドレス格納部２９に格納するとともに既に格納されているＩＰアドレスがあればそれを消去する（Ｓ２０３）。
【００４６】
音声通信中に、オペレータにより、読取部８に原稿がセットされ特定の通信開始操作による新たなデータ通信の開始要求を受付けると（Ｓ２０４）、送信側通信装置３０Ａは、音声通信中の相手先と新たにデータ送信をしようとする送信先とが同一であるとみなす。ここで、特定の通信開始操作は、相手の宛先情報（電話番号、メールアドレス等）が指定されずにスタートキー１１ａが押下される操作であり、非通信時になされる通信開始操作（つまり、宛先情報の入力後にスタートキー１１ａが押下される操作）とは異なる。そして、テーブルＴに基づいて現在音声通信中の相手先がデータ通信できるか否かを判断し（不図示）、データ通信できると判断した場合に、第１の接続に係るＩＰ通信中の接続情報を利用して、換言すると、宛先ＩＰアドレス格納部２９に格納されいる第１の接続先であるＩＰアドレスを通信宛先に指定して、呼制御により同相手先と第２の接続が確立される（Ｓ２０５）。なお、上記説明より明らかなように、第２の接続は、第１の接続と異なる新たな接続である。
【００４７】
そして、第１の接続上で音声通信が行われると同時に、第２の接続上で送信側通信装置３０Ａから受信側通信装置３０Ｂへのデータ送信が行われる（Ｓ２０６）。
【００４８】
相手先との通話が終了しハンドセット１３がオンフックされると（Ｓ２０７）、ＩＰ電話通信部２３の送信音声データ生成部２６からの音声データの生成出力が停止され、音声通信は終了し（Ｓ２０８）、第１の接続は切断される（Ｓ２０９）。そしてさらに、原稿の最終ページの画データが相手先に送信されると、データ送信も終了し（Ｓ２１０）、確立された第２の接続は切断される（Ｓ２１１）。なお、図示しないがデータ通信が終了した後にハンドセット１３がオフフックされた場合は、データ送信の終了、第２の接続の切断、音声通信の終了、第１の接続の切断の順に処理が実行される。
【００４９】
次に、通信装置３０同士でデータ通信中に、送信側の通信装置３０Ａから相手側の通信装置３０ＢにＩＰ電話が掛けられる場合に、双方の通信装置３０Ａ、３０Ｂ間で形成される通信手順について、図８に示すシーケンス図に基づいて説明する。
【００５０】
一方の通信装置（送信側通信装置）３０Ａにおいて、オペレータにより読取部８に原稿がセットされ、相手先（受信側通信装置）３０Ｂの宛先情報（メールアドレス、ＵＲＬ等）が入力指定され、スタートキー１１ａが押下されると、呼制御により相手先と第１の接続が確立され（Ｓ２５１）、データ通信が双方の通信装置３０Ａ、３０Ｂ間において形成される（Ｓ２５２）。そして、送信側通信装置３０Ａは、サーバ等から取得された相手のＩＰアドレスを宛先ＩＰアドレス格納部２９に格納するとともに既に格納されているＩＰアドレスがあればそれを消去する（Ｓ２５３）。
【００５１】
データ通信中の状態が形成されているときに、オペレータにより、特定の通信開始操作による新たな音声通信の開始要求を受付けると（Ｓ２５４）、送信側通信装置３０Ａは、データ送信中の相手先と新たに音声通信をしようとする送信先とが同一であるとみなす。ここで、特定の通信開始操作は、非通信時になされる相手先の電話番号の入力操作を伴う通信開始操作とは異なり、相手先の電話番号の入力操作を伴わない。そして、テーブルＴに基づいて現在データ送信中の相手先が音声通信できるか否かを判断し（不図示）、音声通信できると判断した場合に、第１の接続に係るＩＰ通信中の接続情報を利用して、換言すると、宛先ＩＰアドレス格納部２９に格納されているＩＰアドレスを音声通信の相手の宛先に指定して呼制御により同相手先と第２の接続が確立される（Ｓ２５５）。なお、上記説明より明らかなように、第２の接続は、第１の接続と異なる新たな接続である。
【００５２】
そして、第１の接続上で送信側通信装置３０Ａから受信側通信装置３０Ｂへのデータ送信が行われると同時に、第２の接続上で音声通信が行われる（Ｓ２５６）。
【００５３】
相手先との通話が終了しハンドセット１３がオンフックされると（Ｓ２５７）、ＩＰ電話通信部２３の送信音声データ生成部２６からの音声データの生成出力が停止され、音声通信は終了し（Ｓ２５８）、第２の接続は切断される（Ｓ２５９）。そしてさらに、原稿の最終ページの画データが相手先に送信されると、データ送信も終了し（Ｓ２６０）、確立された第１の接続は切断される（Ｓ２６１）。なお、図示しないがデータ通信が終了した後にハンドセット１３がオフフックされた場合は、データ送信の終了、第１の接続の切断、音声通信の終了、第２の接続の切断の順に処理が実行される。
【００５４】
なお、第２の実施の形態に係る通信装置３０同士でデータ送信中に、更に送信側の通信装置３０Ａから別のデータ送信が行われる場合については、詳述しないが、この場合においても、それぞれのデータ送信は別個の接続上で行われる。すなわち、第１の実施の形態において説明した双方の通信装置間で形成される通信手順において、先発のデータ通信は第１の接続上で行われる同時に、後発のデータ通信は第２の接続上で行われ、第２の接続上で行われる後発のデータ通信が第１の接続上で行われる先発のデータ通信より優先して処理される。
【００５５】
以上の説明から明らかなように第２の実施の形態に係る通信装置３０によれば、第１の実施の形態に係る通信装置１と同様の効果が得られる。
【００５６】
以上、第１及び第２の実施の形態において、本発明に係る通信装置を説明したが、上記した通信装置１、３０におけるデータ通信はＩＰファクシミリ通信に限定されず、その他のデータ通信、例えばＨＴＴＰ通信などであってもよい。また、ハンドセット１３のオフフック、オンフック、スタートキーの押下等の指示操作を新たな通信開始若しくは終了のトリガーとしているが、これらの指示操作はこれらに限定されず、オペレータが簡易に成しうる操作であれば、他の操作に置き換えてもよい。また、上記第１及び第２の実施の形態においては、１の音声通信中に１のデータ通信を開始する場合、１のデータ通信中に１の音声通信を開始する場合、１のデータ通信中に１の音声通信を開始する場合を挙げて説明したが、１の音声通信中に２以上のデータ通信を開始したり、１のデータ通信中に２以上のデータ通信を開始することも当然に可能である。
【００５７】
【発明の効果】
請求項１又は２記載の通信装置によれば、サーバ等へのＩＰアドレスの問い合わせ処理が省略され、新たな通信開始指示から通信開始までの時間が短縮される。また、通信中に新たな通信を開始するための操作を簡略化することができる。
【００５８】
請求項３又は４記載の通信装置によれば、相手先と通話と原稿データの送信を平行して行うことができるので、より良好なコミュニケーションを図ることが可能となる。
【００５９】
請求項５記載の通信装置によれば、例えばＩＰ通信中にスタートキーの押下、ハンドセットのオフフックにより新たな通信を開始することができる。
【００６０】
請求項６記載の通信装置によれば、先発のデータ送信より後発のデータ送信を優先して同じ相手先に送信することができるので、例えば原稿の緊急性に応じて、相手先に送信することができる。
【図面の簡単な説明】
【図１】本発明の実施の形態に係る通信装置の構成例及び該通信装置が設置されるネットワークの構成例を示した図である。
【図２】本発明の実施の形態に係る通信装置が複数のＩＰ通信を行うための機能ブロック図である。
【図３】テーブルの一例を示した図である。
【図４】第１の実施の形態に係る通信装置同士で通話中に、送信側（発呼側）の通信装置からデータ送信が行われる場合に双方の通信装置間で形成される通信手順を示したシーケンス図である。
【図５】第１の実施の形態に係る通信装置同士でデータ通信中に、送信側の通信装置から相手側の通信装置にＩＰ電話が掛けられる場合に、双方の通信装置間で形成される通信手順を示したシーケンス図である。
【図６】第１の実施の形態に係る通信装置同士でデータ送信中に、更に別のデータ送信が行われる場合に双方の通信装置間で形成される通信手順を示したシーケンス図である。
【図７】第２の実施の形態に係る通信装置同士で通話中に、送信側（発呼側）の通信装置からデータ送信が行われる場合に双方の通信装置間で形成される通信手順を示したシーケンス図である。
【図８】第２の実施の形態に係る通信装置同士でデータ通信中に、送信側の通信装置から相手側の通信装置にＩＰ電話が掛けられる場合に、双方の通信装置間で形成される通信手順を示したシーケンス図である。
【符号の説明】
Ｔ  テーブル
１、１Ａ、１Ｂ、３０、３０Ａ、３０Ｂ  通信装置（ＩＰ通信装置）
２  ＣＰＵ
３  ＲＡＭ
４  ＲＯＭ
１３  ハンドセット
２２  受信データ分別部
２３  ＩＰ電話通信部
２４  ＩＰファクシミリ通信部
２９  宛先ＩＰアドレス格納部
【図１】
2005033523.tif 000003
【図２】
2005033523.tif 000004
【図３】
2005033523.tif 000005
【図４】
2005033523.tif 000006
【図５】
2005033523.tif 000007
【図６】
2005033523.tif 000008
【図７】
2005033523.tif 000009
【図８】
2005033523.tif 000010